(57)【特許請求の範囲】
【請求項１】
告知情報を表示するアプリケーションプログラムがインストールされた携帯端末と通信網を介して接続可能なサーバー装置において、
前記携帯端末の契約情報を含むユーザー情報を保存するユーザー情報データーベース手段と、
前記ユーザー情報に基づき、所定の通知時期が来た携帯端末を抽出する通知時期到来端末抽出手段と、
前記通知時期到来端末抽出手段によって抽出された携帯端末に対してアプリケーションプログラムの起動指令を送信するプッシュ通知手段と、
前記アプリケーションプログラムからの要求に基づき、当該携帯端末の契約更新時期情報を含む告知情報を配信する告知情報配信手段と、
携帯端末から購入希望機種を受信し、前記購入希望機種を販売店端末へ通知し、前記販売店端末から前記購入希望機種の販売額の回答を受け、前記購入希望機種の販売額を前記携帯端末へ通知する逆オークション手段と、
を備えたことを特徴とする携帯端末用情報通知サーバー装置。
【発明の詳細な説明】
【技術分野】
【０００１】
この発明は、携帯端末用情報通知サーバー装置に関し、特に携帯端末の機種変更の時期などを端末に通知する携帯端末用情報通知サーバー装置に関する。
【背景技術】
【０００２】
従来、携帯端末に広告を配信して表示させるシステムが提案されている。下記の特許文献１には、このような広告配信システムの一例が開示されている。この広告配信システムにおいては、複数種類の広告を配信する際に、広告を提供する媒体主の収益を最大化し得る広告配信システムを提供する。運用会社サーバは、広告リストを作成し、ユーザ端末からの要求に応じて広告リストを送信する。
【先行技術文献】
【特許文献】
【０００３】
【特許文献１】特開２０１５−９７００５号公報
【発明の開示】
【発明が解決しようとする課題】
【０００４】
昨今、携帯電話、スマートフォンなどの携帯端末の購入方法は、割賦販売（分割払いによる購入）が主流となっており、途中で機種変更のために解約すると割賦残債や解約違約金などの余分な費用がかかるが、例えば２年間など所定の契約期間を経過すれば余分な費用をかけずに機種変更が可能となる。ところが、端末の機種変更可能な時期や割賦残債金額などはネットから取得して端末に表示することができず、契約書類等をチェックするのは面倒なので忘れがちになり、契約更新可能な時期を逸したり、新機種への有利な機種変更時期を逃してしまうという問題点があった。
【０００５】
更に、新機種の情報や端末の価格、更新する場合の費用などもネットで調べる必要があり、情報の取得や比較が面倒であるという問題点があった。
本発明の目的は、上記したような従来技術の課題を解決することにあり、携帯端末の機種変更の可能な時期や残債金額、新機種情報などの情報を端末に通知して表示することができる携帯端末用情報通知サーバー装置を提供することにある。
【課題を解決するための手段】
【０００６】
本発明の携帯端末用情報通知サーバー装置は、告知情報を表示するアプリケーションプログラムがインストールされた携帯端末と通信網を介して接続可能なサーバー装置において、前記携帯端末の契約情報を含むユーザー情報を保存するユーザー情報データーベース手段と、前記ユーザー情報に基づき、所定の通知時期が来た携帯端末を抽出する通知時期到来端末抽出手段と、前記通知時期到来端末抽出手段によって抽出された携帯端末に対してアプリケーションプログラムの起動指令を送信するプッシュ通知手段と、前記アプリケーションプログラムからの要求に基づき、当該携帯端末の契約更新時期情報を含む告知情報を配信する告知情報配信手段と、携帯端末から購入希望機種を受信し、前記購入希望機種を販売店端末へ通知し、前記販売店端末から前記購入希望機種の販売額の回答を受け、前記購入希望機種の販売額を前記携帯端末へ通知する逆オークション手段と、を備えたことを特徴とする。
【発明の効果】
【００１１】
本発明においては、以下のような効果がある。
（１）必要なタイミングで繰り返し端末の機種変更可能な時期や割賦残債金額、新機種情報などが表示されるので、ユーザーの利便性が向上する。
【００１２】
（２）新機種情報やユーザーが希望する機種の販売価格情報を販売店からユーザーに通知することができるので、販売促進ツールとして使用できる。
【図面の簡単な説明】
【００１３】
【図１】図１は本発明のシステム全体の構成を示すブロック図である。
【図２】図２は本発明におけるサーバー装置の処理内容を示すフローチャートである。
【図３】図３は本発明における携帯端末のアプリの処理内容を示すフローチャートである。
【図４】図４は本発明のシステムにおける一連の処理例を示す説明図である。
【図５】図５は本発明のアプリによって表示される画面例を示す説明図である。
【発明を実施するための最良の形態】
【００１４】
本発明について、これを実施するための形態を実施例により具体的に説明する。
【実施例１】
【００１５】
図１は本発明のシステム全体の構成を示すブロック図である。本発明の携帯端末用情報通知サーバー装置２０は、通信網の一例であるインターネット１５に接続されている。インターネット１５はゲートウェイサーバーを介して携帯電話機等である携帯端末の通信網である移動体通信網１１と接続されており、本発明の情報配信サーバー２０は移動体通信網１１の携帯端末１０とデータ通信（パケット通信）が可能である。
【００１６】
インターネット１５には販売店の端末１６も接続されており、情報通知サーバー２０に対して、携帯端末販売情報設定、該当利用者検索、利用者配信設定、利用者購入希望確認などの処理を行う。なお、上記のような通信網の構成は周知である。また、携帯端末１０が公衆無線ＬＡＮ経由などでインターネット１５に直接アクセスしてきた場合でも本発明は実施可能である。
【００１７】
携帯端末１０は、周知のＷｅｂブラウザを備え、パケット通信が可能であり、更にアプリケーションプログラム（以下アプリとも記す。）をダウンロードしてインストールし、実行することが可能なスマートホン、携帯電話機、タブレットなどの周知の携帯端末である。内部構成は周知であるので説明は省略するが、携帯端末を制御するコンピューターを備えており、プログラムを実行することによって携帯端末を制御する。
【００１８】
本発明の情報配信サーバー２０は、例えばインターネットと接続されたＷｅｂサーバー２１、利用者情報データーベース（ＤＢ）、販売店情報ＤＢ、新機種情報ＤＢなどを管理するＤＢサーバー２２、後述する本発明に関するサーバー用プログラムが実行されるＡＰＰサーバー２３、利用者情報通知設定、新機種情報掲載設定、広告配信などを行う保守、管理用のＰＣである端末２５等がＬＡＮ２６に接続された構成であってもよい。各サーバー装置は市販のサーバー装置に市販のソフトウェアおよび後述する本発明の機能を実現するためのプログラムをインストールすることにより実現できる。
【００１９】
図２は本発明におけるサーバー装置の処理内容を示すフローチャートである。Ｓ１０においては移動体通信網１１を経由した携帯端末１０からのアクセスが有るか否かが判定され、判定結果が否定の場合にはＳ１０に戻るが、肯定の場合にはＳ１１に移行する。
【００２０】
Ｓ１１においては携帯端末を特定し、携帯端末に表示すべきデータを生成して送信する。ユーザー登録したユーザーに対しては、サーバー２０からユーザーＩＤが付与されアプリに送信される。その後は、アプリはアクセス時にユーザーＩＤをサーバー２０に通知するので、サーバー２０はユーザーＩＤによって端末を特定できる。そして、ユーザー登録済みのユーザーに対しては、契約情報や残債（利用者割賦情報お知らせ機能）、機種比較機能を利用した新機種の広告、販売店からの情報等を送信し、新規ユーザーの場合にはアプリのダウンロードやユーザー登録を勧める情報を送信する。
【００２１】
Ｓ１２においては携帯端末１０がアプリのダウンロードを要求しているか否かが判定され、判定結果が否定の場合にはＳ１４に移行するが、肯定の場合にはＳ１３に移行する。Ｓ１３においては、携帯端末１０が送信したアクセスデータ（ヘッダ）から移動体通信網種別、メーカー情報、機種情報等の情報を抽出することができるので、これらの情報に基づき、対応するアプリを携帯端末１０へダウンロードする。
【００２２】
Ｓ１４においては、携帯端末１０がユーザー登録を要求しているか否かが判定され、判定結果が否定の場合にはＳ１６に移行するが、肯定の場合にはＳ１５に移行する。Ｓ１５においては携帯端末１０から送信されたユーザー登録データをユーザーＩＤと共にユーザーＤＢに登録する。ユーザー登録データには、契約情報、購入情報、販売店情報、通信網の情報、携帯端末の機種情報などが含まれる。
【００２３】
Ｓ１６においては携帯端末１０が購入予定機種の登録を要求しているか否かが判定され、判定結果が否定の場合にはＳ１８に移行するが、肯定の場合にはＳ１７に移行する。Ｓ１７においてはリバースオークション処理（希望機種販売情報掲載機能）を行う。
【００２４】
具体的には、携帯端末１０から受信した購入予定機種情報を特定のあるいは近隣の販売店に通知する。また、当該購入予定機種の詳細情報や関連情報を当該携帯端末１０へ送信する。販売店においては購入予定機種の販売額を回答し、回答情報は当該端末１０へ通知される。ユーザーは回答の中から１つを選択して当該販売店に端末の購入を予約することができる。
【００２５】
Ｓ１８においては携帯端末１０が端末の予約を要求しているか否かが判定され、判定結果が否定の場合にはＳ２０に移行するが、肯定の場合にはＳ１９に移行する。Ｓ１９においては端末を予約した携帯端末情報およびユーザー情報を販売店に通知すると共にユーザーに対して販売店の詳細情報が通知される。
【００２６】
Ｓ２０においては通知時期が到来した端末をサーチする。通知時期としては、例えば割賦契約満了時点のｎヶ月前（ｎは０か正の整数）であってもよい。Ｓ２１においては、Ｓ２０において要通知端末が有ったか否かが判定され、判定結果が否定の場合にはＳ１０に移行するが、肯定の場合にはＳ２２に移行する。
【００２７】
Ｓ２２においては端末においてアプリが起動されるようにＰＵＳＨ通知する。ＰＵＳＨ通知とは、ユーザーがアプリを起動していなくとも、サーバーから携帯端末のＯＳへ通知を送り、携帯端末のアプリを起動することができる仕組みのことであり、現在、ほとんどの携帯端末が採用しているＯＳにおいて利用可能である。起動された携帯端末１０のアプリはサーバーにアクセスして表示すべき情報を取得し、告知情報を含む画面を表示する。
【００２８】
図３は本発明における携帯端末１０のアプリの処理内容を示すフローチャートである。アプリはサーバーからのＰＵＳＨ通知、あるいはユーザーが携帯端末のアプリのアイコンをタップすることにより起動される。Ｓ３０においてはサーバーにアクセスし、表示すべき情報を要求する。Ｓ３１においてはサーバーから受信した契約情報、残債額、広告などを表示する。
【００２９】
Ｓ３２においては端末画面へのタップなどの操作が有ったか否かが判定され、判定結果が否定の場合にはＳ３０に移行するが、肯定の場合にはＳ３３に移行する。Ｓ３３においてはユーザー登録の要求か否かが判定され、判定結果が否定の場合にはＳ３５に移行するが、肯定の場合にはＳ３４に移行する。
【００３０】
Ｓ３４においてはユーザー登録情報の入力画面を表示し、入力されたユーザー登録情報をサーバーに送信して登録する。この際、販売店がアプリをインストールしてユーザー登録する場合には、予め販売店に割り当てられたＩＤおよびパスワードを入力することにより、サーバーにおいて、特定の販売店においてアプリがインストールされ、ユーザー登録されたことを識別することができる。
【００３１】
Ｓ３５においては、次期の購入予定機種の登録を要求しているか否かが判定され、判定結果が否定の場合にはＳ３７に移行するが、肯定の場合にはＳ３６に移行する。Ｓ３６においては入力された端末の機種情報をサーバー２０に送信して登録する。
【００３２】
Ｓ３７においては端末購入の予約を要求しているか否かが判定され、判定結果が否定の場合にはＳ３９に移行するが、肯定の場合にはＳ３８に移行する。Ｓ３８においては端末予約情報をサーバーに送信して登録する。Ｓ３９においては終了か否かが判定され、判定結果が否定の場合にはＳ３０に移行するが、肯定の場合にはアプリを終了する。
【００３３】
図４は本発明のシステムにおける一連の処理例を示す説明図である。Ｓ５０においては、ユーザーがブラウザでサーバー２０あるいは周知の無料アプリのダウンロードサイトにアクセスし、本発明に関するアプリをダウンロードする。Ｓ５１においては、契約情報、購入情報、機種情報等を入力してユーザー登録する。
【００３４】
Ｓ５２においては、アプリはＰＵＳＨ通知により、定期的に利用期間や残債額などの通知情報を受信して表示する。また、例えば割賦支払終了数ヶ月前から、次期機種候補情報（最新機種情報）を紹介する通知を行う。この際には、端末機能データーベースを利用した機種比較機能を活用し、利用者の機種と最新機種との仕様や機能比較をスマートフォンの画面上で確認する事が出来るようにする。
【００３５】
Ｓ５３においては、次の購入希望機種の候補機種情報をサーバーに登録する。サーバーにおいては、リバースオークション処理を行い、候補機種情報を例えば近隣の販売店に通知する。Ｓ５４においては、近隣販売店から提示された端末販売価格情報を端末に表示する。
【００３６】
Ｓ５５においては、ユーザーが１つの販売店を選択し、当該情報提供店に端末の購入を予約する。予約情報は当該販売店に通知されると共にユーザーに対して販売店の詳細情報が通知される。Ｓ５６においては、ユーザーが当該販売店の店舗に出向き、機種変更手続きを行う。
【００３７】
なお、販売店側の処理の流れは、例えば以下のようになる。
（１）本発明におけるアプリの利用会社として本発明にかかるサーバーのサービス会社と契約する。
（２）契約後に、サービス会社に登録する販売店リストを提出する。
（３）サービス会社にて販売店情報を販売店データーベースに入力する。
【００３８】
（４）各販売店へ固有のＩＤおよびパスワードを個別に発行する。
（５）販売店は利用者の購入希望機種をサーバー２０の専用管理画面から抽出し、近隣の利用者に対し、自店の販売価格情報を入力する。この情報はサーバーを介してユーザーに通知される。
（６）配信した通知情報に対してユーザーから購入希望があると、専用の管理画面へ通知される。
（７）その後、利用者から購入希望の連絡が入り、機種変更手続きを行う。
【００３９】
図５は本発明のアプリによって表示される画面例を示す説明図である。広告１（３１）は任意の広告バナーであり、本発明のサービスを行うサービス会社の収入源となる。契約情報、購入情報、残債額などであるお客様の割賦利用情報３２としては、例えば、「加入年月日２０１３年３月２２日」（通信事業者に新規加入した日付）、「購入年月日２０１３年３月２２日」、「携帯利用期間０ヶ月」「割賦分割残金３６，０００円」、「支払済み回数０回／２４回」、「割賦最終請求月２０１５年３月」「契約最終月２０１５年５月」「契約解除タイミング２０１５年５月」のように表示される。ユーザーはこれを見ることによって例えば契約が満了した時点など機種変更のタイミングを認識できる。
【００４０】
最新機種情報３４をタップすることにより、その時期に発売している紹介最新機種の照会や現在の機種との機能比較等の情報が得られる。登録した機種について各販売会社から販売価格が紹介される「お気に入り機種販売情報」３５、「店舗情報」３６、「設定」３７の各ボタンあるいはバナーは、タップすることによってそれぞれ関連する詳細情報が表示される。なお、店舗情報の取得や店舗の選択操作は店舗情報３６を、ユーザー登録、時期機種登録、端末予約などの設定操作は設定３７をタップすることにより利用可能である。
【００４１】
以上、実施例を開示したが、本発明には以下に示すような変形例も考えられる。実施例においてはＰＵＳＨ通知によってアプリを起動する例を開示したが、現在多くの携帯端末に使用されているＯＳにはアプリを起動予約するための設定機能が標準装備されているので、例えばアプリを１日１回など周期的に起動するようにＯＳに設定し、アプリがサーバーに通知すべき情報があるか否かを問い合わせるようにしてもよい。
【００４２】
また、アプリ自身が契約情報を記憶して例えば月１回などのアプリを起動すべき時期を算出し、この時期にアプリが起動されるようにＯＳに設定することも可能である。この機能をアプリに含ませておけば、ＰＵＳＨ通知が無くても、あるいはサーバーへのアクセスが出来ない場合でも契約情報等を周期的に表示可能である。
【００４３】
実施例においては契約解除タイミングを知らせる例を開示したが、契約によっては、例えば１ヶ月間だけなど機種変更可能な期間が定められている場合もある。このような場合には、機種変更可能な期間の始めと終わりの日を表示するようにしてもよい。
実施例においてはユーザーが契約内容を打ち込む例を開示したが、例えばサーバー内に各移動体通信網の運営会社毎の契約形態の情報を記録した契約情報データーベースを備え、ユーザーは表示されるメニューから該当項目を選択することによって、メニュー形式で契約内容を入力するようにしてもよい。
また、移動体通信網の運営会社と協力して、ユーザーの契約内容を移動体通信網の運営会社から取得するようにすれば、簡単かつ正確に契約内容を取得できる。
【産業上の利用可能性】
【００４４】
本発明は携帯端末用の情報配信システムに適用可能である。
【符号の説明】
【００４５】
１０…携帯端末
１１…移動体通信網
１５…インターネット
１６…販売店端末
２０…情報配信サーバー
２１…Ｗｅｂサーバー
２２…ＤＢサーバー
２３…ＡＰＰサーバー
２５…端末
２６…ＬＡＮ
【図１】
0006748466.tif 000002
【図２】
0006748466.tif 000003
【図３】
0006748466.tif 000004
【図４】
0006748466.tif 000005
【図５】
0006748466.tif 000006